(57)【特許請求の範囲】
【請求項１】
レンズの下側又は上側約半分を水糸等の高張力糸にて保持するナイロールフレームにおいて、水糸端には結び目を形成すると共に、解けないように先端には加熱して玉を設け、この結び目をフレームに止着したことを特徴とするナイロールフレームの高張力糸の止着構造。
【発明の詳細な説明】
【０００１】
【発明の属する技術分野】
本発明は水糸等の高張力糸を用いてレンズを保持するナイロールフレーム、特に高張力糸の止着構造に関するものである。
【０００２】
【従来の技術】
ナイロールフレームとはレンズを保持する為にリムの一部を分断して水糸等の高張力糸が使用されているメガネフレームである。ハーフリムとすることによりメガネフレームは軽量化され、視界を広げることが出来る。図９は従来から多用されている基本的なナイロールフレームを表しているが、概略長方形断面をした円弧状のハーフリム(イ)の両端に水糸(ロ)の先端を止着し、ハーフリム(イ)と水糸(ロ)によってレンズ(ハ)が保持される。そして両ハーフリム(イ)、(イ)はブリッジ(ニ)にて連結され、リム外側にはヨロイ(ホ)、(ホ)が取付けられていて、ツルはこのヨロイ(ホ)に蝶番を介して折畳み出来るように連結されている。
【０００３】
図１０は図９のＡ―Ａ断面拡大図を示しているが、ハーフリム(イ)の内周及びレンズ(ハ)の外周には溝が形成され、この両溝には断面がダルマ形をしたクッション性のある繋ぎ材(ヘ)が嵌っている。すなわち、該繋ぎ材(ヘ)にてハーフリム(イ)とレンズ(ハ)が繋がれ、レンズ(ハ)はハーフリム(イ)から外れないようになっている。
【０００４】
図１１は水糸(ロ)の止着構造を示している。ハーフリム端には２個の穴を貫通して設け、この両穴に水糸端が挿通して止着されるが、該穴の大きさは０．７ｍｍで両穴間距離は１．５ｍｍと成っている。この状態で両端が止着されている水糸(ロ)にレンズ(ハ)を嵌めるならば、水糸(ロ)には約1〜３ｋｇの張力が作用し、その結果、水糸(ロ)は図１１(ｂ)に示すように溝(ト)に嵌りこむ。そして水糸(ロ)は両穴から抜け出すことはないが、穴の角(チ)に食い込んで切断するケースが多い。
【０００５】
図１２(ａ)は前記図９のＡ―Ａ断面拡大図の別形態であり、(ｂ)はこの場合のハーフリム(イ)の端部を示している。このハーフリムはＴ型リムと称して繋ぎ材(ヘ)を必要とせず、内周には凸部(リ)を沿設し、この凸部(リ)はレンズ溝に嵌っている。そしてハーフリム端には同じく2個の穴(ヌ)、(ヌ)が所定の間隔をおいて設けられ、この2個の穴(ヌ)、(ヌ)に水糸が挿通されて止着される。従って水糸に張力が作用するならば、同じく穴(ヌ)の角に食い込んで切断する。
【０００６】
図１３はレンズの外周に形成した溝に嵌ることが出来る細いワイヤーで構成したハーフリムであって、(ａ)はレンズ溝に嵌っている断面を示し、(ｂ)はハーフリムの端部を示している。ハーフリムはレンズ溝に落とし込まれる為にスリムな外観となるが、先端には止着片(ル)がロウ付けされ、この止着片(ル)に2個の穴(ヌ)、(ヌ)が設けられている。水糸はこの2個の穴(ヌ)、(ヌ)に挿通されて止着される為に、張力が作用するならば切断することは前記従来例と同じである。
【０００７】
ナイロールフレームに使用される一般的な水糸はその太さが０，５２ｍｍであって、引張り強度は約１０ｋｇある。しかし、従来のナイロールフレームにおける水糸の止着構造では約３，６ｋｇで切断してしまい、水糸本来の引張り強度が生かされていない。
【０００８】
一方、図１４は水糸端にリング(オ)を形成し、このリング(オ)をハーフリム端に設けているカギ(ワ)に係止した止着構造も知られている。この止着構造に関しては出願人が平成９年８月２５日付けで特許出願を行っていて(特願平９−２５００９１号)、(ｂ)に拡大図を示すようにリング(オ)が内面に凹凸を有すパイプ(カ)にてカシメられるならば、約８．４ｋｇの引っ張り強度が得られる。しかし、この水糸(ロ)の両端はパイプ(カ)が嵌められてカシメられる為に図１５に示すように長さＬは定まってしまう。
【０００９】
特に、小売店で視力に合ったレンズ外形を加工する際、小さくなれば水糸(ロ)の張力が足らなくなってレンズが外れ易くなり、逆にレンズ周長が大きくなればリング(オ)がカギ(ワ)に掛からなくなってしまう。また無理してカギ(ワ)に掛けるならばレンズ(ハ)並びに水糸(ロ)に大きな負担がかかってレンズ(ハ)の割れや水糸(ロ)の破断が発生する。
【００１０】
【発明が解決しようとする課題】
このようにナイロールフレームの高張力糸の止着構造には上記のごとき問題がある。本発明が解決しようとする課題はこの問題点であり、高張力糸の引っ張り強度が高く、又レンズの周長に適した長さに簡単に調整することが出来るナイロールフレームの高張力糸の止着構造を提供する。
【００１１】
【課題を解決する為の手段】
ナイロールフレームとしての基本形態は従来と同じであり、ブリッジで連結される両ハーフリムとハーフリムの先端に両端が止着される高調力糸で構成され、レンズはハーフリムに片側の約半分が拘束されると共に、反対側には高張力糸が張設されてレンズを保持している。勿論、ナイロールフレームとしての構造はこの基本形態に限定せず、ハーフリムの先端に高張力糸を直接止着する場合に限らず、ツル端に止着することもあり、又別部材を介在して高張力糸を止着することもある。
【００１２】
ところで、本発明に係る高張力糸の止着構造はカギに結んで止着する構造である。しかし単に先端部に結び目を作っただけでは抜けてしまう為に先端に玉を形成する。又玉を作ることなく２重結びをすることで抜けないようにすることもある。一方、フレーム側には上記カギではなく穴を形成し、該穴から抜けないように高張力糸先端には結び目を作る。以下、本発明に係る実施例を図面に基づいて詳細に説明する。
【００１３】
【実施例】
図１は本発明のナイロールフレームの一部を示している実施例である。両ハーフリム１,１はブリッジ２と共に連続した１本の線材にて成形され、該ハーフリム１に嵌ったレンズ３は水糸４にて保持されている。同図の５は補助ブリッジを表わし、概略門型をした補助ブリッジ5はハーフリム１，１とブリッジ2との間に形成されている凹部に引っ掛けられて取付けられている。そして6はツルを示し、ツル端にはコイルバネ7が形成されていて、上記水糸4の先端は補助ブリッジ５の脚８とコイルバネ７とに止着されてレンズ３を保持している。
【００１４】
このフレームではハーフリム１，１とブリッジ２が連続した細い１本の線材からなっているが、補強ブリッジ５を取付けることでブリッジ部の強度は高くなる。又、ツル端に形成したコイルバネ７はハーフリム外側に起立した軸に嵌って取付けられて開閉することが出来る。そして、ツル６は開いた状態からコイルバネ７を捩り変形することで僅かに押し開く機能を備えている。
【００１５】
図２はナイロールフレームにおける水糸４の止着構造を示している実施例であってコイルバネ先端の拡大図を示している。水糸４はコイルバネ先端に形成されているカギ９に結ばれて止着されるが、単に結んだだけでは解けてしまう為に水糸端には玉１０を作っている。この玉１０は加熱することで端部は液状化し、表面張力で自然に丸くなり、水糸４に大きな張力が作用しても結び目１１が解けることはない。
【００１６】
この場合の引っ張り強度は約７ｋｇとなり、前記図１１に示している従来の止着構造に比較して約２倍の引っ張り強度が得られる。そして、結び目１１の位置を変えることでレンズ３の周長が変化しても簡単に対応することが可能である。図３(ａ)〜(ｄ)は図２の結び方を示しているが、(ａ)は水糸４の先端部をカギ９に結んで先端を適当な長さでカットする。(ｂ)は先端をライターなどで加熱して丸く固める。(ｃ)は水糸４に張力を加えるならば、丸くなった先端の玉１０は結び目１１に引き寄せられ、玉１０は結び目１１に係止する。(ｄ)は結び目１１を基点としてレンズの大きさを考慮して水糸４の長さＬを定め、先端を丸く固めて玉１０を作る。この水糸先端部は同じように別のカギに結び付けられる。
【００１７】
図４は本発明の止着構造を示す他の実施例を示している。この止着構造の場合もコイルバネ７の先端に設けたカギ９に水糸４を結んで止着しているが、２重結びが行われている。一重結びでは結び目１１が解けてしまうが、同図のように２重結びを行うことで解けることはなく、引っ張り強度は約１０．８ｋｇとなり、水糸自体の引っ張り強度がそのまま得られる。
【００１８】
図５は上記２重結びをする場合の結び方を示している。(ａ)はカギ９に結んで１番目の結び目１１ａを適当な位置に作り、(ｂ)では結び目１１ａの上に２番目の結び目１１ｂを作っている。１番目の結び目１１ａはレンズ３の大きさを考慮して適当な位置に設けられ、さらに２番目の結び目１１ｂを作ることで解けないようにしているが、水糸先端は結び目１１ｂから延びている為に適当な位置で切断して(ｃ)のようにする。
【００１９】
図６は本発明に係る高張力糸の止着構造を示すさらに別の実施例である。コイルバネ７の先端には穴を設け、この穴を通過することが出来ない大きさの結び目１２を形成して該穴に係止する方法である。(ａ)はＵ型のカギ１３ａを形成し、このカギ１３ａに結び目１２を先端に作って水糸４を係止している場合である。又(ｂ)はカギ１３ｂがリング型としていて、水糸先端に結んだ結び目１２はカギ１３ｂの穴から抜けないように係止している。そしてこれらの結び目１２にも先端に玉１４を作って該結び目12が解けないようにしている。この玉１４は同図の(ｃ)、(ｄ)に示すように、結び目１２から延びている水糸４を適度な長さに切断し、残された部分を加熱して適度な大きさの玉１４を作ることが出来る。
【００２０】
ところで、ナイロールフレームの形態は図１に示す場合に限定するものではなく、図７(ａ)、(ｂ)に示しているナイロールフレームとすることも出来る。(ａ)のナイロールフレームはハーフリム１５の両端にカギ１６ａ，１６ｂを形成し、これらのカギ１６ａ，１６ｂに水糸４の先端を結んで止着している。一方の(ｂ)に示すナイロールフレームは１本の線材を曲げ成形してハーフリム１７，１７、ブリッジ１８、それにヨロイ１９，１９を連続して形成している。そしてハーフリム１７とブリッジ１８の境界凹部２０ａ、ハーフリム１７とヨロイ１９の境界凹部２０ｂに水糸４の先端を結んで止着している。
【００２１】
図８は高張力糸の止着構造を示している別形態である。ハーフリム２１の外側には軸受けと成るパイプ２２がロウ付けされ、一方のツル端にはツバ２３を有す軸２４をロウ付け固定している。そしてパイプ２２の上面にはカム２５が、又ツバ２３の下面にもカム２６がそれぞれ設けられている。(ａ)は軸２４がパイプ２２から分離している場合であり、水糸４はパイプ穴２７を通り、軸２４の中心に貫通している穴を挿通して先端には結び目２８を有している。
【００２２】
上記結び目２８は水糸４に張力が作用しても軸の中心穴から抜けない大きさであると共に解けないようになっていて、１つには前記図６(ｄ)に示しているように玉１４を形成する場合、又は２重結びとする場合がある。そして軸２４はパイプ穴２７に嵌って回転することが出来てツル６は開閉する。(ｂ)はツルが折畳まれた場合、(ｃ)はツル６が開いている場合を示している。さらに(ｄ)は開いたツル６を外方向へ押し開いている場合であるが、水糸４には張力が作用していて、パイプ穴２７に嵌っている軸２４を引っ張り、カム２５、２６はツバ２３の下面及びパイプ上面に当接し、ツル６の開閉に伴って摺動する。
【００２３】
そして(ｄ)に示すように、ツル6が開いた状態からさらに外方向へ押し開く場合には、両カム２５，２６が互いに噛み合って軸２４は上方へ移動する。その結果水糸4に作用する張力は大きくなり、軸２４を押し下げる力が反力として作用し、その結果、ツル６が閉じる方向に押圧力として発生する。すなわち、従来のバネ蝶番と同じ機能を呈し得る。このように、水糸４はレンズを保持するものであるが、ハーフリムの端に直接止着する場合に限らず、フレームを構成するツル端に止着することもある。
【００２４】
以上述べたように、本発明のナイロールフレームにおける高張力糸の止着構造は、高張力糸先端に結び目を作って係止したものであり、次のような効果を得ることが出来る。
【００２５】
【発明の効果】
本発明のナイロールフレームは水糸端に結び目を形成し、これを係止することでレンズを保持することが出来る。したがって水糸が角に食い込んで破断するようなことはなく、レンズを安定して保持出来る。例えば結び目が解けないように先端に玉を作っている場合の引っ張り張力は約７ｋｇ，又２重結びの場合には約１０．８ｋｇの引っ張り張力が得られる。そして結びによって高張力糸先端を止着する為に、レンズの周長が如何様であってもレンズに合わせて止着することが出来、最も適した張力にてレンズの保持が可能となる。
【図面の簡単な説明】
【図１】ナイロールフレームを示す実施例。
【図２】本発明の高張力糸の止着構造。
【図３】図2に示す結び目の結び方。
【図４】本発明の高張力糸の止着構造であって2重結びを示す。
【図５】図４に示す２重結びの結び方。
【図６】本発明の高張力糸の他の止着構造。
【図７】ナイロールフレームの具体例。
【図８】本発明の高張力糸の別の止着構造。
【図９】従来の止着構造を備えたナイロールフレーム。
【図１０】図９のＡ―Ａ断面拡大図。
【図１１】従来の高張力糸の止着構造。
【図１２】  (ａ)はハーフリムとレンズの関係、(ｂ)はハーフリムの先端部。
【図１３】  (ａ)はハーフリムとレンズの関係、(ｂ)はハーフリムの先端部。
【図１４】水糸端にリングを形成した止着構造。
【図１５】両端にリングを形成した水糸。
【符号の説明】
１  ハーフリム
２  ブリッジ
３  レンズ
４  水糸
５  補助ブリッジ
６  ツル
７  コイルバネ
８  脚
９  カギ
10  玉
11  結び目
12  結び目
13  カギ
14  玉
15  ハーフリム
16  カギ
17  ハーフリム
18  ブリッジ
19  ヨロイ
20  凹部
21  ハーフリム
22  パイプ
23  ツバ
24  軸
25  カム
26  カム
27  パイプ穴
28  結び目
【図１】
0004792153.tif 000002
【図２】
0004792153.tif 000003
【図３】
0004792153.tif 000004
【図４】
0004792153.tif 000005
【図５】
0004792153.tif 000006
【図６】
0004792153.tif 000007
【図７】
0004792153.tif 000008
【図８】
0004792153.tif 000009
【図９】
0004792153.tif 000010
【図１０】
0004792153.tif 000011
【図１１】
0004792153.tif 000012
【図１２】
0004792153.tif 000013
【図１３】
0004792153.tif 000014
【図１４】
0004792153.tif 000015
【図１５】
0004792153.tif 000016